(57)【要約】【課題】バックパックを背中に着用している人が汗をかいてバッキングパッドが汗で濡れて汚染され、不快感を引き起こすことを抑制する。【解決手段】バックパック本体および空気移動装置を含むバックパック。バックパック本体は、バックパック本体に形成された少なくとも１つの空気ダクトを有する。空気移動装置は、少なくとも１つの空気ダクトに空気流を提供する。少なくとも１つの空気ダクトは、着用者の背中に空気流を送り届けるように構成されており、これによって着用者の背中に沿って熱が放散される。【選択図】図１
2020527988.tif 000002
【特許請求の範囲】
【請求項１】
着用者の背中に沿って熱を放散するように構成されたバックパックであって、
前記背中に接触するように構成された表面を有するバックパック本体であって、前記表面は、前記表面の中に形成された少なくとも１つの空気ダクトを有する、バックパック本体と、
前記バックパック本体に取り付けられた空気移動装置であって、前記空気移動装置は、前記少なくとも１つの空気ダクトに空気流を提供するように配置されており、前記少なくとも１つの空気ダクトは、前記着用者の前記背中に沿って前記空気流を伝導し、それにより前記着用者の前記背中に沿って熱を放散する、空気移動装置と、を備える、バックパック。
【請求項２】
前記バックパック本体に取り付けられ、前記バックパック本体の外側に突出している充電インターフェースであって、前記充電インターフェースが、外部電気装置に接続され、前記外部電気装置に電力を供給するように構成されている、充電インターフェース、をさらに備える、請求項１に記載のバックパック。
【請求項３】
前記空気移動装置が、
ハウジングと、
前記ハウジングによって収容されたマルチレベル速度調整モジュールと、
前記ハウジングによって収容された複数の第１の送風機であって、前記複数の第１の送風機の各々は、前記マルチレベル速度調整モジュールに接続されており、前記マルチレベル速度調整モジュールは、前記複数の第１の送風機の速度を制御するように構成されている、複数の第１の送風機と、を含む、請求項１に記載のバックパック。
【請求項４】
前記ハウジングが、空洞を含み、前記複数の第１の送風機が、前記空洞と流体連通しており、前記空洞の各々が、前記バックパック本体から突出している空気入口部を有し、前記空洞が、複数の空気吹出口ダクトに接続されており、前記空洞の各々が、前記複数の空気吹出口ダクトのうちの異なる１つに接続されており、前記複数の空気吹出口ダクトが、接合部で一緒に接続されており、空気吹出口が、前記接合部に配置されている、請求項３に記載のバックパック。
【請求項５】
空気案内ダクトが、前記空気吹出口の外側に配置されている、請求項４に記載のバックパック。
【請求項６】
前記マルチレベル速度調整モジュールが、速度制御回路、出力インターフェース、およびスイッチング回路を含み、
前記速度制御回路が、第１の固定接点、第２の固定接点、第３の固定接点、および可動接点を含む、マルチレベルスイッチを含み、
前記可動接点が、第１、第２、および第３の固定接点のうちの１つに選択的に接続可能であり、
前記速度制御回路が、第１の抵抗器および第２の抵抗器を含み、
前記第１の固定接点が、前記第１の抵抗器の第１の端部に接続されており、
前記第１の抵抗器の第２の端部が、前記出力インターフェースに接続されており、
前記第２の固定接点が、前記第２の抵抗器の第１の端部に接続されており、
前記第２の抵抗器の第２の端部が、前記出力インターフェースに接続されており、
前記第３の固定接点が、前記出力インターフェースに接続されており、
前記スイッチング回路が、入力インターフェース、電源入力インターフェース、および複数の送風機出力インターフェースを含み、
前記入力インターフェースが、前記出力インターフェースに接続されており、
前記複数の送風機出力インターフェースが、前記複数の第１の送風機に各々接続されている、請求項３に記載のバックパック。
【請求項７】
前記マルチレベル速度調整モジュールが、インジケータモジュールを含み、
前記インジケータモジュールが、第１の発光ダイオード（「ＬＥＤ」）、第２のＬＥＤ、第３のＬＥＤ、ダイオードＤ１、ダイオードＤ２、ダイオードＤ３、ダイオードＤ４、およびダイオードＤ５を含み、
前記第１の固定接点が、前記ダイオードＤ１のアノードに接続されており、前記ダイオードＤ１のカソードが、前記第１のＬＥＤのアノードに接続されており、前記第１のＬＥＤの前記カソードが、接地されており、
前記第２の固定接点が、前記ダイオードＤ２のアノードに接続されており、前記ダイオードＤ２のカソードが、前記第１のＬＥＤの前記アノードに接続されており、
前記第２の固定接点が、前記ダイオードＤ３のアノードに接続されており、前記ダイオードＤ３のカソードが、前記第２のＬＥＤのアノードに接続されており、前記第２のＬＥＤのカソードが、接地されており、
前記第３の固定接点が、前記ダイオードＤ４のアノードに接続されており、前記ダイオードＤ４のカソードが、前記第１のＬＥＤの前記アノードに接続されており、
前記第３の固定接点が、ダイオードＤ５のアノードに接続されており、前記ダイオードＤ５のカソードが、前記第２のＬＥＤの前記アノードに接続されており、
前記第３の固定接点が、前記第３のＬＥＤのアノードに接続されており、前記第３のＬＥＤのカソードが、接地されている、請求項６に記載のバックパック。
【請求項８】
前記バックパック本体が、各々少なくとも１つの吹出口を有する第２の送風機を含み、
前記第２の送風機の各々のうちの前記少なくとも１つの吹出口が、前記少なくとも１つの空気ダクトのうちの少なくとも１つの内部に配置されている、請求項１に記載のバックパック。
【請求項９】
前記バックパック本体が、第３の送風機、および中空の取っ手を含み、
前記第３の送風機が、吹出口を有し、
前記第３の送風機の前記吹出口が、前記取っ手に接続されており、
前記取っ手が、空気抜きを有する、請求項１に記載のバックパック。
【請求項１０】
前記少なくとも１つの空気ダクトは、覆われていないトレンチ型ダクトである、請求項１に記載のバックパック。
【請求項１１】
フロントカバーと、
リアカバーと、
前記フロントカバーを前記リアカバーに取り外し可能に接続するように構成されたジッパーと、をさらに備える、請求項１に記載のバックパック。
【請求項１２】
バックパックであって、
内部に形成された少なくとも１つの空気ダクトを有するバックパック本体であって、前記少なくとも１つの空気ダクトが、着用者の背中に空気流を送り届けるように構成されており、前記空気流が、前記着用者の前記背中に沿って熱を放散する、バックパック本体と、
前記少なくとも１つの空気ダクトに前記空気流を提供するように配置された空気移動装置と、を備える、バックパック。
【請求項１３】
前記空気移動装置に接続され、前記空気移動装置に電力を供給するように構成された電源と、
前記電源に接続され、前記電源から電力を受け取る充電インターフェースであって、前記充電インターフェースが、外部電気装置に接続され、前記外部電気装置に前記電力を供給するように構成されている、充電インターフェースと、をさらに備える、請求項１２に記載のバックパック。
【請求項１４】
前記電源が、前記バックパックから取り外し可能である外部電源である、請求項１３に記載のバックパック。
【請求項１５】
押されたときに前記空気移動装置の速度レベルを決定する、押下可能スイッチを備えるマルチレベル速度調整モジュール、をさらに備える、請求項１２に記載のバックパック。
【請求項１６】
前記空気移動装置は、第１の空気移動装置であり、前記バックパックが、
前記少なくとも１つの空気ダクトに追加の空気流を提供するように構成された少なくとも１つの第２の空気移動装置、をさらに備える、請求項１２に記載のバックパック。
【請求項１７】
少なくとも１つの空気抜き開口部を有する中空の取っ手と、
前記中空の取っ手内に空気を送り届けるように構成された第３の空気移動装置であって、前記中空の取っ手内に送り届けられる前記空気は、前記少なくとも１つの空気抜き開口部を通って前記中空の取っ手から出て、前記少なくとも１つの空気抜き開口部は、前記少なくとも１つの空気抜き開口部から出る前記空気が前記着用者の首に送り届けられるように配置されている、第３の空気移動装置と、をさらに備える、請求項１６に記載のバックパック。
【請求項１８】
前記空気移動装置は、第１の空気移動装置であり、前記バックパックが、
少なくとも１つの空気抜き開口部を有する中空の取っ手と、
前記中空の取っ手内に空気を送り届けるように構成された第３の空気移動装置であって、前記中空の取っ手内に送り届けられる前記空気は、前記少なくとも１つの空気抜き開口部を通って前記中空の取っ手から出て、前記少なくとも１つの空気抜き開口部は、前記少なくとも１つの空気抜き開口部から出る前記空気が前記着用者の首に送り届けられるように配置されている、第３の空気移動装置と、をさらに備える、請求項１２に記載のバックパック。
【請求項１９】
前記少なくとも１つの空気ダクトが、前記着用者の前記背中の少なくとも一部に沿って少なくとも部分的に覆われている、請求項１２に記載のバックパック。
【請求項２０】
バックパックであって、
下部と、
着用者の背中に沿って前記下部から上方に延在する少なくとも１つの空気ダクトと、
前記下部に配置され、前記少なくとも１つの空気ダクトに空気流を提供するように構成された空気移動装置であって、前記少なくとも１つの空気ダクトは、前記空気流の少なくとも一部を前記着用者の前記背中の少なくとも一部に送り届けて前記着用者を冷却するのを助けるように構成されている、空気移動装置と、を備える、バックパック。
【請求項２１】
前記少なくとも１つの空気ダクトが、前記着用者の前記背中に適合するように輪郭形成されている、請求項２０に記載のバックパック。
【請求項２２】
前記少なくとも１つの空気ダクトが、前記着用者の前記背中の少なくとも一部に沿って少なくとも部分的に覆われている、請求項２０に記載のバックパック。
【発明の詳細な説明】
【技術分野】
【０００１】
関連出願の相互参照
本出願は、２０１７年９月１３日に出願された中国特許出願第２０１７／１０８２３６７１．１号の一部継続出願であり、２０１７年７月１７日に出願された米国仮特許出願第６２／５３３，４９６号および２０１８年５月１４日に出願された米国仮特許出願第６２／６７１，２８９号の利益を主張する。前述の出願の各々は、それらの全体が参照により本明細書に組み込まれる。
【背景技術】
【０００２】
本発明は、概してバックパックを対象とし、より具体的には、熱を放散するように設計されたバックパックを対象とする。
【０００３】
関連技術の説明
背中に着用して背中に物品をつるすことができるツールとして、バックパックは観光、研究、日常生活で一般的に使用されている。現在、ほとんどのバックパックには、柔らかい布または硬質プラスチックのバッキングパッドが含まれている。着用すると、バックパックのバッキングパッドは、着用している人の背中を押すことが多く、これによって着用者の背中に沿った大量の集熱を引き起こす。バックパックを背中に着用している人は汗をかきやすく、バッキングパッドが汗で濡れて汚染される原因となり、不快感を引き起こす可能性がある。加えて、人々は通常携帯電話を携帯する。携帯電話のバッテリーが消耗したら、バッテリーを充電する必要がある。残念ながら、モバイル充電またはポケット内充電は不便であることが多く、人々を不安にさせる。
【図面の簡単な説明】
【０００４】
【図１】バックパックの部分的分解斜視図である。
【図２】図１のバックパックの例示的な空気移動または吹出口装置の分解図である。
【図３】図２の例示的な空気吹出口装置によって引き起こされる空気流を図示する空気運動図である。
【図４】図１のバックパックのマルチレベル速度調整モジュールの回路図である。
【図５】図１のバックパックのオプションの第２の送風機によって引き起こされる空気流を図示する空気運動図である。
【図６】図１のバックパックのオプションの第３の送風機によって引き起こされる空気流を図示する空気運動図である。
【図７】図１のバックパックのマルチレベルスイッチを備えたバックパックベルトまたはストラップの斜視図である。
【図８】図１のバックパックのジッパーの側面図である。
【図９】図１のバックパックの空気入口の底面図である。
【発明を実施するための形態】
【０００５】
図１は、着用している人の背中に着用され、着用者の背中に沿って熱の放散させるのを助けるように構成されたバックパック１０を図示している。バックパック１０は、バックパック本体１８と、空気移動または吹出口装置２とを含む。バックパック本体１８は、着用している人の背中に接触するように構成された背面（例えば、バッキングパッド）を有する。背面は、空気吹出口装置２に接続された１つ以上のチャネルまたは空気ダクト３を含む。図示の実施形態では、空気ダクト３は５つの別個の空気ダクトを含む。ただし、これは必要条件ではない。
【０００６】
図示の実施形態では、空気ダクト３は、着用している人の背中に接して配置され、着用している人の背中に沿って延在している。空気吹出口装置２がオンにされると、空気吹出口装置２は空気ダクト３に空気を吹き込み、この吹き込みは、着用している人の背中と空気ダクト３との間の空気流を増加させる。この空気流（図３に矢印で図示）は、着用している人の背中と空気ダクト３との間に位置する加熱された空気またはより高温の空気をより低温の空気に置き換える。このようにして、着用している人の背中と空気ダクト３との間の熱が迅速に放散され得、着用している人の背中の温度が低下し得る。空気吹出口装置２は、バックパック本体１８の下部に配置され得る。したがって、空気吹出口装置２によって生み出された空気流（図３に矢印で図示）は、バックパック本体１８の底部（または下部）から上向きに吹き、背中全体またはその大部分に容易に到達して、熱放散を高める。
【０００７】
図示の実施形態では、背面は、空気ダクト３のうちの隣接するものの間に配置されたストリップ突出部３１を含む。ストリップ突出部３１は、背面（例えば、バッキングパッド）と着用者の背中との間の接触面積および摩擦を減らすのに役立つ。これは、背中の汗の量を減らし、熱の蓄積を軽減するのに役立ち得る。ストリップ突出部３１は、より低温の空気が、空気ダクト３を通って、背面と着用者の背中との間に流れるのを可能にする。ストリップ突出部３１は、流れる距離を長くし、熱放散（または放射）を改善し得る。ストリップ突出部３１はまた、空気ダクト３から着用者の背中に沿って流れる空気の横方向の流れを制限し得る。このため、空気ダクト３は、空気流の一部を着用者の背中全体未満に送り届けることができる。
【０００８】
図１に示すように、この実施形態では、バックパック本体１８は、外部電気機器（図示せず）に接続され、外部電気機器に電気を供給する（例えば、外部電気機器のバッテリーを充電する）ように構成された充電インターフェース５１を含む。充電インターフェース５１は、バックパック本体１８の外側に突出してもよい。充電インターフェース５１は、外部電気機器（例えば、携帯電話）にモバイル充電を提供するように構成されている。図１に示すように、この実施形態では、バックパック本体１８には、空気吹出口装置２および充電インターフェース５１に電力を供給するように構成された電源４が設けられている。電源４は、取り外し可能および／または外部電源として実装されてもよい。充電インターフェース５１は、ユニバーサルシリアルバス（「ＵＳＢ」）ポートまたは同様の接続として実装され得る電源出力インターフェースＪ２（図４を参照）として実装されてもよい。図４を参照すると、電源出力インターフェースＪ２は、外部電気機器（図示せず）に接続され得る。非限定的な例として、外部電気機器（図示せず）は、一般的な携帯電話、懐中電灯、または電灯として実装されてもよい。
【０００９】
図１および図２に示すように、この実施形態では、充電インターフェース５１には、取り外し可能な保護カバー５２が設けられている。保護カバー５２が充電インターフェース５１上にあるとき、保護カバー５２は、塵、水などから充電インターフェース５１を保護し得る。図１を参照すると、保護カバー５２が充電インターフェース５１上にあるとき、保護カバー５２は、充電インターフェース５１を隠して、バックパック本体１８の側面に滑らかで美的に好ましい外観を与え得る。
【００１０】
この実施形態では、着用している人の背中に接触するバックパック本体１８の背面には、疎水性バインダーおよび疎水性材料で包まれた凝集物を含む防水性および通気性の層が設けられている。凝集体は、次の構成要素および重量パーセントを含む：ケイ砂（２０〜６５重量％）、セラムサイト（１５〜５５重量％）、およびスラグ（５〜３５％重量％）。ケイ砂は、０．０２ｍｍ〜１２ｍｍの粒子直径を有し得る。セラムサイトは、０．０５ｍｍ〜０．１８ｍｍの粒子直径を有し得る。スラグは、０．１５ｍｍ〜０．４５ｍｍの粒子直径を有し得る。防水性および通気性の層は、バックパック１０の水密性および／またはバックパック１０の通気性を改善するのに役立ち得、熱放散の効果を高めるのに役立ち得る。
【００１１】
図２に示されるように、この実施形態では、空気吹出口装置２は、ハウジング２１、マルチレベル速度調整モジュール２８（図４を参照）、および少なくとも１つのファンまたは送風機２０を含む。図示の実施形態では、少なくとも１つの送風機２０は、一対の第１の送風機２２として実装されている。しかしながら、代替実施形態では、少なくとも１つの送風機２０は、単一のファンまたは送風機（図示せず）として実装されてもよい。別の非限定的な例として、少なくとも１つの送風機２０は、第１の送風機２２、１つ以上の第２の送風機６（図５を参照）、および１つ以上の第３の送風機７（図６参照）を含んでもよい。
【００１２】
少なくとも１つの送風機２０は、バックパック本体１８の外側から空気を受け取り（図１、図３、図５、図６、および図８を参照）、受け取った空気を空気ダクト３に吹き込む（図１および５を参照）ように配置されている。このため、各送風機２０は、対応する吸気チャンネルまたは空洞２３からより低い温度の空気を受け取り、その空気を対応する空気吹出口ダクト２５に吹き込むように配置され得る。あるいは、ハウジング２１および／またはバックパック本体１８は、より低い温度の空気がハウジング２１に流入することを可能にする吸気開口部を含んでもよい。そのような実施形態では、各送風機２０は、より低い温度の空気をハウジング２１の内部から対応する空気吹出口ダクト２５に吹き込むように配置されてもよい。
【００１３】
マルチレベル速度調整モジュール２８（図４を参照）は、少なくとも１つの送風機２０に接続され、その速度を制御する。少なくとも１つの送風機２０の速度を制御することによって、マルチレベル速度調整モジュール２８（図４を参照）は、受け取った空気が少なくとも１つの送風機２０から空気ダクト３に流入する速度を決定する（図１および図５を参照）。
【００１４】
図示の実施形態では、マルチレベル速度調整モジュール２８（図４を参照）および第１の送風機２２は、ハウジング２１内に配置されている。第１の送風機２２の各々は、マルチレベル速度調整モジュール２８に接続されている（図４を参照）。マルチレベル速度調整モジュール２８（図４を参照）は、第１の送風機２２の速度を制御する。第１の送風機２２には、空気案内開口部が設けられており、それは、第１の送風機２２によって生成された空気を空気開口部を通して（例えば、対応する空気吹出口ダクト２５内に）均一に排出するために使用される。空気案内開口部はまた、空気を案内するか、または空気圧を高める様態で空気の方向を制御する。マルチレベル速度調整モジュール２８（図４を参照）は、電源４に接続され、そこから電力を受け取る。
【００１５】
図２に示すように、この実施形態では、ハウジング２１は、第１の送風機２２と連通する２つの空洞２３を含む。空洞２３の各々は、バックパック本体１８（図１、図３、図５、図６、および図８を参照）から突出し、バックパック１０（図１、図３、図５、図６、および図８を参照）の外側からより低温の空気を受け取る空気入口部２４を含む。空洞２３および／または第１の送風機２２の各々は、空気吹出口ダクト２５と連通している。空洞２３は、より低温の空気を空気入口部２４から第１の送風機２２および／または空気吹出口ダクト２５に伝導する。空気吹出口ダクト２５は、互いに向かって延在し、接合部で一緒に接合し得る。空気吹出口ダクト２５の接合部またはその近くに、空気吹出口がある。空洞２３は、気密性を高め、空気漏れを低減し、より低温の空気が空洞２３を通って空気吹出口ダクト２５内に流れることができるように設計され得る。空気入口部２４および空気吹出口は、空気がスムーズに流れ、より低温の空気が空気入口部２４に吸い込まれ、空気吹出口を通って排出されることを可能にする。
【００１６】
図２に示されているように、この実施形態では、空気案内ダクト２６が空気吹出口の外側に配置されている。空気案内ダクト２６は、空気流を空気ダクト３に案内して、空気吹出口での空気流の拡散および空気漏れを防ぐ。第１の送風機２２によって生成された空気は、空気吹出口ダクト２５内の空気圧を高めるのに十分な時間、空気吹出口ダクト２５に集まり得、それは、空気ダクト３内の（および任意選択的に越えて）より低温の空気の流れ距離を延長し得、それにより熱放散を改善する。空気吹出口および／または空気案内ダクト２６は、空気案内ダクト２６から出る空気の力を高め、空気圧を高めるように構成された平坦な形状を有し得る。
【００１７】
図９に示すように、この実施形態では、空気入口部２４の各々は、防塵ネット２４１を備えている。防塵ネット２４１は、対応する第１の送風機２２が外部の物体を吸い込むのを防ぐのに役立ち、外部の物体が空気入口部２４を塞ぐ、および／または対応する第１の送風機２２を詰まらせるのを防ぐのに役立つ。
【００１８】
図４に示すように、この実施形態では、マルチレベル速度調整モジュール２８は、速度制御回路２８Ａ、出力インターフェースＪ１、およびスイッチング回路２８Ｂを含む。速度制御回路２８Ａは、第１の固定接点ＦＣ１、第２の固定接点ＦＣ２、第３の固定接点ＦＣ３、および可動接点ＭＣを含む、マルチレベルスイッチＳＷ１を含む。可動接点ＭＣは、固定接点ＦＣ１〜ＦＣ３のうちの１つと接続するのに使用される。速度制御回路２８Ａは、抵抗器Ｒ１および抵抗器Ｒ２を含む。抵抗器Ｒ１の一端は、第１の固定接点ＦＣ１に接続され、抵抗器Ｒ１のもう一端は出力インターフェースＪ１に接続されている。抵抗器Ｒ２の一端は、第２の固定接点ＦＣ２に接続され、抵抗器Ｒ２のもう一端は出力インターフェースＪ１に接続されている。第３の固定接点ＦＣ３は、出力インターフェースＪ１に接続されている。スイッチング回路２８Ｂは、入力インターフェースＪ３、電源入力インターフェースＪ４、および少なくとも１つの送風機出力インターフェース２９を含む。マルチレベル速度調整モジュール２８は、少なくとも１つの送風機２０の各々に対して異なる送風機出力インターフェースを含み得る。このため、図示の例では、少なくとも１つの送風機出力インターフェース２９は、一対の第１の送風機２２（それぞれ「Ｍ１」および「Ｍ２」とラベル付けされている）のための送風機出力インターフェースＪ５およびＪ７を含む。入力インターフェースＪ３は、出力インターフェースＪ１に接続されている。
【００１９】
可動接点ＭＣおよび電源入力インターフェースＪ４は、それぞれ電源４（図１を参照）に接続されており、それぞれ接点Ｃ１およびＣ２を介して電力を受け取る。電源入力インターフェースＪ４は、ＵＳＢポートまたは同様の接続として実装され得る。マルチレベルスイッチＳＷ１は、固定接点ＦＣ１〜ＦＣ３のいずれが可動接点ＭＣによって接触されるかを決定するために、ユーザ（例えば、着用者）によって押下可能であり得、それによって空気速度を制御する。非限定的な例として、空気速度は、可動接点ＭＣが第１の固定接点ＦＣ１に接続されているとき、低速レベルであってもよく、可動接点ＭＣが第２の固定接点ＦＣ２に接続されているとき、中速レベルであってもよく、可動接点ＭＣが第３の固定接点ＦＣ３に接続されているとき、高速レベルであってもよい。非限定的な例として、第１の固定接点ＦＣ１は、マルチレベルスイッチＳＷ１の第１のピンとして実装されてもよく、第２の固定接点ＦＣ２は、マルチレベルスイッチＳＷ１の第２のピンとして実装されてもよく、第３の固定接点ＦＣ３は、マルチレベルスイッチＳＷ１の第３のピンとして実装されてもよく、可動接点ＭＣは、マルチレベルスイッチＳＷ１の第４のピンとして実装されてもよい。マルチレベルスイッチＳＷ１の第４のピンと出力インターフェースＪ１の第４のピンとは、接点Ｃ１によって電源４（図１を参照）に接続され得る。電源出力インターフェースＪ２の第１のピンは、接点Ｃ１によって電源４（図１を参照）に接続され得る。
【００２０】
抵抗器Ｒ１は、１キロオーム（ｋΩ）〜１０ＫΩの範囲の抵抗を有し得、抵抗器Ｒ２は、１ＫΩ〜２０ＫΩの範囲の抵抗を有し得る。例えば、抵抗器Ｒ１は６．８ＫΩの抵抗値を有し得、抵抗器Ｒ２は１０ＫΩの抵抗値を有し得る。抵抗器Ｒ１およびＲ２の異なる値を利用して、マルチレベル速度調整モジュール２８は、異なる出力電圧値を提供し得、これを使用して、第１の送風機２２に分配される電圧を制御し得、第１の送風機２２の空気速度を調整し得る。
【００２１】
高速レベル（例えば、可動接点ＭＣが第３の固定接点ＦＣ３に接続されているとき）では、第１の送風機２２は、電源４（図１を参照）に直接接続されて、最大電力を受け取ることができ、最大速度で回転する。具体的には、抵抗器Ｒ１のもう一端は、出力インターフェースＪ１の第２のピンに接続され得る。抵抗器Ｒ２のもう一端は、出力インターフェースＪ１の第２のピンに接続されている。第３の固定接点ＦＣ３は、出力インターフェースＪ１の第１のピンに接続されている。
【００２２】
スイッチング回路２８Ｂは、第１の送風機Ｍ１およびＭ３に同時に接続されている。第１の送風機Ｍ１は、インターフェースＪ６によって送風機出力インターフェースＪ５に接続され、第１の送風機Ｍ２は、インターフェースＪ８によって送風機出力インターフェースＪ７に接続されている。
【００２３】
速度制御回路２８Ａは、予備抵抗器Ｒ６を含んでもよい。予備抵抗器Ｒ６の一端は、出力インターフェースＪ１の第２のピンに接続され、一方、予備抵抗器Ｒ６のもう一端は接地されている。予備抵抗器Ｒ６の抵抗値は１０ｋΩであってもよい。出力インターフェースＪ１の第３のピンは、接地されている。
【００２４】
図４に示すように、この実施形態では、マルチレベル速度調整モジュール２８はまた、複数の発光ダイオード（例えば、ＬＥＤ１、ＬＥＤ２、およびＬＥＤ３）および複数のダイオード（例えば、ダイオードＤ１、ダイオードＤ２、ダイオードＤ３、ダイオードＤ４、およびダイオードＤ５）をさらに含むインジケータモジュール２８Ｃも含む。第１の固定接点ＦＣ１は、ダイオードＤ１のアノードに接続されており、ダイオードＤ１のカソードは、ＬＥＤ１のアノードに接続されており、ＬＥＤ１のカソードは、接地されている。第２の固定接点ＦＣ２は、ダイオードＤ２のアノードに接続されており、ダイオードＤ２のカソードは、ＬＥＤ１のアノードに接続されている。第２の固定接点ＦＣ２は、ダイオードＤ３のアノードに接続されており、ダイオードＤ３のカソードは、ＬＥＤ２のアノードに接続されており、ＬＥＤ２のカソードは、接地されている。第３の固定接点ＦＣ３は、ダイオードＤ４のアノードに接続されており、ダイオードＤ４のカソードは、ＬＥＤ１のアノードに接続されている。第３の固定接点ＦＣ３は、ダイオードＤ５のアノードに接続されており、ダイオードＤ５のカソードは、ＬＥＤ２のアノードに接続されている。第３の固定接点ＦＣ３は、ＬＥＤ３のアノードに接続されており、ＬＥＤ３のカソードは、接地されている。インジケータモジュール２８Ｃは、現在の速度レベルについて着用者に促すか知らせるために使用され、所望の速度レベルを選択するのを助けるために使用され得る。具体的には、低速レベルでは、ＬＥＤ１のみが接続されてオンになり、中速レベルでは、ＬＥＤ１とＬＥＤ２の両方が接続されてオンになり、高速レベルでは、ＬＥＤ１、ＬＥＤ２、およびＬＥＤ３が同時に接続されてオンになる。
【００２５】
インジケータモジュール２８Ｃは、電流制限抵抗器Ｒ３、電流制限抵抗器Ｒ４、および電流制限抵抗器Ｒ５を含む。電流制限抵抗器Ｒ３、Ｒ４、およびＲ５は、各々１００Ω〜２ＫΩの範囲の抵抗値を有し得る。電流制限抵抗Ｒ３の一端は、ＬＥＤ１のアノードに接続されており、一方、電流制限抵抗Ｒ３のもう一端は、ダイオードＤ１のカソード、ダイオードＤ２のカソード、およびダイオードＤ４のカソードに接続されている。電流制限抵抗Ｒ４の一端は、ＬＥＤ２のアノードに接続されており、一方、電流制限抵抗Ｒ４のもう一端は、ダイオードＤ３のカソードとダイオードＤ５のカソードとに接続されている。電流制限抵抗Ｒ５の一端は、ＬＥＤ３のアノードに接続されており、一方、電流制限抵抗Ｒ５のもう一端は、第３の固定接点ＦＣ３（およびダイオードＤ５のアノード）に接続されている。
【００２６】
図５を参照すると、上述のように、少なくとも１つの送風機２０（図２を参照）は、オプションの第２の送風機（複数可）６を含んでもよい。第２の送風機（複数可）６の各々の吹出口６２Ａおよび６２Ｂは、空気ダクト３のうちの１つ以上に配置されている。図示の実施形態では、バックパック本体１８に配置された２つの第２の送風機６がある。第２の送風機６の各々は、一対の吹出口６２Ａおよび６２Ｂを介して空気ダクト３の異なる対に空気を吹き込む。吹出口６２Ａおよび６２Ｂの各々は、空気ダクト３のうちの１つの中央に配置されている。第２の送風機６は、空気ダクト３の少なくともいくつかに追加の空気流を提供し得、これは、空気流が中央で弱まるのを防ぎ、および／または空気圧を高めるのを助け得る。第２の送風機６からの空気は、着用している人の背中に直接接触し、このため、熱放散（または放射）およびユーザの快適性を改善する。
【００２７】
図６を参照すると、上述のように、少なくとも１つの送風機２０（図２を参照）は、オプションの第３の送風機（複数可）７を含み得る。図示の実施形態では、バックパック本体１８は、一対の吹出口７２Ａおよび７２Ｂに接続されている単一の第３の送風機７を含む。バックパック本体１８は、空気抜き１２を備えた中空の取っ手１１を含む。第３の送風機７の吹出口７２Ａおよび７２Ｂは、取っ手１１に接続されており、第３の送風機７は、吹出口７２Ａおよび７２Ｂを介して空気を取っ手１１に吹き込む。具体的には、第３の送風機７は、バックパック本体１８の内部に配置されている。第３の送風機７により送風されたより低温の空気は、取っ手１１の内部内を流れて、空気抜き１２を通して排出される。排出された空気は、着用者の首に直接接触し、熱の放散（または放射）および着用者の快適性を改善する。第１の送風機２２、第２の送風機６、および第３の送風機７の速度は各々、２０００毎分回転数（「ＲＰＭ」）〜５０００ＲＰＭの範囲内であり得る。
【００２８】
図１に示すように、この実施形態では、空気ダクト３は、着用者の背中に適合するように湾曲していてもよい。背中の自然な輪郭をシミュレートすることにより、空気ダクト３は、人間工学の原理に適合し、空気ダクト３を着用している人の背中に沿ってよりよくフィットすることを可能にする。より低温の空気が、着用者の背中に沿って流れ得、これにより熱放散（または放射）が改善され、ユーザの快適さを改善する。
【００２９】
この実施形態では、空気ダクト３は、覆われていないトレンチ型ダクトである。この方法では、空気流の抵抗がより少なくなり、背中の熱を素早く放散することができる。覆われていない空気ダクト３はまた、空気流が着用者の背中に直接接触することを可能にする。代わりに、空気ダクト３は、（例えば、着用者の背中の少なくとも一部に沿って）少なくとも部分的に覆われていてもよい。
【００３０】
図１および図８に示すように、この実施形態では、バックパック本体１８は、フロントカバー１３、ジッパー１６、およびリアカバー１４を含む。ジッパー１６は、フロントカバー１３をリアカバー１４に取り外し可能に取り付けることができる。したがって、着用者は、材料、形状、および色に関してお気に入りのフロントカバー１３を選ぶことができる。これにより、バックパック１０の多様性とその美的魅力が向上する。フロントカバー１３は、ラップトップ、モバイルタブレットコンピュータ、およびカメラなどのバックパック１０内の電子機器を保護するために、耐衝撃性プラスチックで作られてもよい。
【００３１】
図７に示すように、この実施形態では、バックパック本体１８は、バックパックベルトまたはストラップ１５を含み、マルチレベルスイッチ８が、ストラップ１５のうちの１つに配置されてもよい。マルチレベルスイッチ８は、図４のマルチレベルスイッチＳＷ１であるか、またはそれを動作させる。
【００３２】
図１を参照すると、バックパック１０は、単純な構造を有し、熱放散を提供し、および／または外部電気機器（図示せず）を充電し得る。バックパック１０は、持ち運びが容易であり得る。少なくとも１つの送風機２０（図２を参照）が、着用者の背中とバックパック本体１８との間に空気を吹き込み、それによりこの領域に空気流を提供し、熱を素早く放散し得る。このようにして、バックパック１０は、着用者の背中の温度を下げ、着用者の快適さを向上させる。充電インターフェース５１は、外部電気機器（図示せず）に接続されて、外部電気機器を充電するために使用されてもよく、これは便利である。少なくとも１つの送風機２０（図２を参照）および充電インターフェース５１は、電源４（図４に図示されたマルチレベル速度調整モジュール２８に選択的に接続され得る外部電源として実装されてもよい）から電力を受け取り得る。
【００３３】
前述の実施形態は、異なる他の構成要素内に含まれる、またはそれと接続された、異なる構成要素を描いている。そのような描かれたアーキテクチャは単なる例示であり、実際、同じ機能を達成する他の多くのアーキテクチャを実装できることを理解されたい。概念的な意味では、同じ機能を達成するための構成要素の任意の構成が、効果的に「関連付けられ」、それにより所望の機能が達成される。したがって、特定の機能を達成するためにここで組み合わされた任意の２つの構成要素は、アーキテクチャまたは中間構成要素に関係なく、所望の機能が達成されるように互いに「関連付けられている」と見なすことができる。同様に、そのように関連付けられた任意の２つの構成要素は、所望の機能性を達成するために互いに「動作可能に接続」または「動作可能に結合」されていると見なすこともできる。
【００３４】
本発明の特定の実施形態を示して説明してきたが、本明細書の教示に基づいて、本発明およびそのより広い態様から逸脱することなく変更および修正を行うことができることは当業者には明らかであろう、したがって、添付の特許請求の範囲は、本発明の真の趣旨および範囲内にあるようなすべてのそのような変更および修正をその範囲内に包含するものである。さらに、本発明は添付の特許請求の範囲によってのみ定義されることを理解されたい。一般に、本明細書で、および特に添付の特許請求の範囲（例えば、添付の特許請求の範囲の本文）で使用される用語は、「オープンな」用語（例えば、「含む（ｉｎｃｌｕｄｉｎｇ）」という用語は「含むがこれに限定されない」と解釈されるべきであり、「有する（ｈａｖｉｎｇ）」という用語は「少なくとも有する」と解釈されるべきであり、「含む（ｉｎｃｌｕｄｅ）」という用語は「含むがこれに限定されない」と解釈されるべきである、など）として概して意図されていることを当業者は理解するであろう。特定の数の導入された特許請求項の記載が意図されている場合、そのような意図は特許請求項に明示的に記載され、そのような記載がない場合、そのような意図は存在しないことを当業者はさらに理解するであろう。例えば、理解の助けとして、以下の添付の特許請求の範囲には、特許請求項の記載を導入するために「少なくとも１つ」および「１つ以上」の導入フレーズの使用が含まれる場合がある。しかしながら、そのようなフレーズの使用は、同じ特許請求項が、導入フレーズ「１つ以上」または「少なくとも１つ」および「ある（ａ）」または「ある（ａｎ）」などの不定冠詞を含む場合でさえも（例えば、「ある（ａ）」および／または「ある（ａｎ）」は通常、「少なくとも１つ」または「１つ以上」を意味すると解釈されるべきである）、不定冠詞「ある（ａ）」または「ある（ａｎ）」による特許請求項の記載の導入が、そのように導入された特許請求項の記載を含む任意の特定の特許請求項を、そのような記載を１つだけ含む発明に限定することを意味すると解釈されるべきではなく、特許請求項の記載を導入するために使用される定冠詞の使用についても同じことが当てはまる。加えて、特定の数の導入された特許請求項の記載が明示的に記載されたとしても、当業者は、そのような記載は通常、少なくとも記載された数を意味すると解釈されるべきであることを認識するであろう（例えば、他の修飾語句なしで、「２つの記載」のありのままの記載は、通常、少なくとも２つの記載、または２つ以上の記載を意味する）。
【００３５】
したがって、本発明は、添付の特許請求の範囲による場合を除いて限定されない。
【図１】
2020527988.tif 000003
【図２】
2020527988.tif 000004
【図３】
2020527988.tif 000005
【図４】
2020527988.tif 000006
【図５】
2020527988.tif 000007
【図６】
2020527988.tif 000008
【図７】
2020527988.tif 000009
【図８】
2020527988.tif 000010
【図９】
2020527988.tif 000011
【国際調査報告】
2020527988.tif 000012